(57)【要約】【課題】  従来の植木鉢ハンガーのうち、植木鉢の複数箇所を吊下げるタイプのものは、植物に干渉し、植え込みに大きな制約を与えてしまっていた。また、一本の吊下げ棒で吊下げるタイプのものは、金属製の吊下げ棒に溶接やねじ切りなどの加工を施すため、製造コストを上げてしまうと同時に、見た目の硬さや煩雑さにも繋がっていた。また、複数の金属部品によって重量も増大してしまい、吊下げ部品への負担の増加や設置時の扱い辛さに繋がっていた。【解決手段】  吊下げ棒（１）と固定用ゴム栓とを有し、前記吊下げ棒（１）を、上方に向かって先細ったテーパー形状、且つ中心に貫通した孔を設けた前記固定用ゴム栓に、上方より挿通、且つ密着させたことを特徴とする植木鉢ハンガー。【選択図】  図１
2017093317.tif 000002
【特許請求の範囲】
【請求項１】
吊下げ棒（１）と固定用ゴム栓とを有し、前記吊下げ棒（１）を、上方に向かって先細ったテーパー形状、且つ中心に貫通した孔を設けた前記固定用ゴム栓に、上方より挿通、且つ密着させたことを特徴とする植木鉢ハンガー。
【請求項２】
前記固定用ゴム栓が、貫通した中心の孔以外に、吊下げる対象物に嵌着した際に、排水用の開口部を持つ形状である請求項１記載の植木鉢ハンガー。
【請求項３】
前記固定用ゴム栓の形状が三つ又形状である請求項１記載の植木鉢ハンガー。
【発明の詳細な説明】
【技術分野】
【０００１】
本発明は、植木鉢の吊下げ構造に特徴を持つ、植木鉢ハンガーに関する。
【背景技術】
【０００２】
植木鉢を水平に吊下げるには、植木鉢の周縁部の三ヶ所ないし四ヶ所をチェーンや紐等で吊下げるのが一般的である（例えば、特許文献１参照）。
【０００３】
また、複数ヶ所ではなく中心部を一本の吊下げ棒によって水平に吊下げるには、金属製の吊下げ棒自体に溶接やねじ切りなどの金属加工をし、植木鉢を支持するための複数の金属部品が、吊下げ棒とは別途で必要である（例えば、特許文献２参照）。
【先行技術文献】
【特許文献】
【０００４】
【特許文献１】特開２００１ー１３７０９６号  公報
【０００５】
【特許文献２】実登３０８８７８６号  公報
【発明の概要】
【発明が解決しようとする課題】
【０００６】
以上に述べた従来の特許文献１のような植木鉢ハンガーは、植木鉢の周縁部の三ヶ所ないし四ヶ所をチェーンや紐等で吊下げるため、発育する植物に干渉し、植え込みに大きな制約を与えてしまっていた。また、チェーンや紐等によって植物が視覚的に遮られるので美観を損ねてしまう。さらに、強風のときなどは植木鉢が回転し、チェーンや紐等が捩れて植物の損傷を招く恐れもあった。
【０００７】
一方、特許文献２のような植木鉢ハンガーは、金属製の吊下げ棒に溶接やねじ切りなどの金属加工を施すため、製造コストを上げてしまうと同時に、複数の金属部品や溶接部による見た目の硬さや煩雑さにも繋がっていた。また、下から植木鉢を支持する金属部品によって、重量も増大してしまっていた。植木鉢の吊下げにおいて、重量の増大は吊下げ部品への負担の増加や、設置時の扱い辛さに繋がってしまう。
【０００８】
本発明は、このような従来の植木鉢ハンガーが有していた問題を解決しようとするものであり、低コストで最低限の種類の部品と加工のみで、植物の植え込みに制約を与えずに、見た目にも簡素、且つ軽量で実施が容易な植木鉢ハンガーを実現することを目的とするものである。
【課題を解決するための手段】
【０００９】
吊下げ棒（１）と固定用ゴム栓とを有し、前記吊下げ棒（１）を、上方に向かって先細ったテーパー形状、且つ中心に貫通した孔を設けた前記固定用ゴム栓に、上方より挿通、且つ密着させたことを特徴とする植木鉢ハンガー。
【００１０】
前記固定用ゴム栓が、貫通した中心の孔以外に、吊下げる対象物に嵌着した際に、排水用の開口部を持つ形状にするのががよい。
【００１１】
前記固定用ゴム栓の形状を三つ又形状にするのががよい。
【発明の効果】
【００１２】
上述したように本発明の植木鉢ハンガーは、低コストで最低限の種類の部品と加工のみで、植物の植え込みに制約を与えずに、見た目にも簡素、且つ軽量で実施が容易な植木鉢ハンガーを提供できる。
【００１３】
固定用ゴム栓を植木鉢の底孔に隠れるように嵌着することで、植木鉢外観にほとんど影響を与えず、吊下げ棒のみによって支持されているかのように簡素に見せることが可能である。
【００１４】
固定用ゴム栓を平面図として見たとき、植木鉢の底孔を完全に塞いでしまう円形状ではなく、植木鉢の底孔に嵌着することが可能な三つ又形状とすることで、排水性も確保した上で、植木鉢を支持することが可能である。
【００１５】
底孔からの排水時には、植木鉢を貫通した吊下げ棒を水が伝う事で、水の飛散を最小限にとどめる効果もある。
【図面の簡単な説明】
【００１６】
【図１】本発明の植木鉢ハンガーとオリジナルデザインの植木鉢の実施形態を示す斜視図
【図２】植物を植え込んだ上記植木鉢ハンガーの実施形態を示す斜視図
【図３】固定用ゴム栓の上面図
【図４】固定用ゴム栓の立面図
【図５】固定用ゴム栓の斜視図
【図６】上記植木鉢ハンガーと一般的な素焼鉢の実施形態を示す斜視図
【図７】固定用ゴム栓の形態の変更例の上面図
【図８】固定用ゴム栓の形態の図７とは異なる変更例の上面図
【発明を実施するための形態】
【００１７】
以下、本発明の実施の形態を図１〜８に基づいて説明する。
【００１８】
図においては、１は金属製の吊下げ棒、２ａは固定用ゴム栓、３はオリジナルデザインの植木鉢である。
【００１９】
植物を植え込んだ植木鉢３に、吊下げ棒１の最下端を、上方より植木鉢中心に穿通し、植木鉢３の底孔に挿通させる。
【００２０】
この際、植物自体にも吊下げ棒１を穿通させる場合もあるが、吊下げ棒１の断面の直径は３ｍｍ程度なので、植物の自然治癒力によって、貫通した状態のまま植物組織の修復、再生がなされ、大きな問題とはならない。
【００２１】
固定用ゴム栓２ａを吊下げ棒１に下方より挿通、且つ密着させながら植木鉢３の底孔に嵌着する。この際、固定用ゴム栓２ａは図４のように上方に向かって先細ったテーパー形状となっているため、植木鉢３の底孔から固定用ゴム栓２ａが上方に抜けない構造となっている。
【００２２】
固定用ゴム栓２ａのテーパー形状に関しては、従来の平均的なゴム栓と同等のテーパー角である５度とした。
【００２３】
吊下げ棒１と固定用ゴム栓２ａ、固定用ゴム栓２ａと植木鉢３の底孔側面は、ゴムの弾性力と、全体の荷重に依る鉛直方向の摩擦力によって固定され、外径３５ｍｍ、貫通した中心の孔の直径２ｍｍの固定用ゴム栓２ａと、断面直径３ｍｍの吊下げ棒１の場合で、約３ｋｇまでの荷重を支持することが可能である。
【００２４】
固定用ゴム栓２ａの硬度に関しては、高ければ高い程、ゴムの弾性力、全体の荷重に依る鉛直方向の摩擦力は共に増え、安定した固定状態を得られるが、硬過ぎて、植木鉢３の底孔への嵌着が不可能なほど柔軟性が無いと実施が不可能なので、最適な硬度として７０（タイプＡ）のゴム材を採用した。
【００２５】
図２が実施形態だが、固定用ゴム栓２ａを植木鉢３の底孔に隠れるように嵌着することで、植木鉢外観にほとんど影響を与えず、吊下げ棒のみによって支持されているかのように簡素に見せることが可能である。
【００２６】
吊下げ用リング部１ａを吊下げ可能なフック状のものや突起に掛けて設置する。吊下げ棒１への加工は吊下げ用リング部１ａのような単純な曲げ加工のみで、その他は最も単純な棒形状とすることで、製造コストを最小限に抑えられる。
【００２７】
図３、図４、図５が固定用ゴム栓２ａの図面で、中央には吊下げ棒１を挿通させるための貫通した孔を設けている。効率の高い排水のために、中心の孔以外に、植木鉢３の底孔に嵌着した際に開口を持つ三つ又形状となっている。
【００２８】
植木鉢３の底孔にしっかりと嵌着され固定状態を得るためには、構造的に最低三ヶ所が嵌着される必要があり、嵌着する箇所が少ないほど、鉢外部との開口部の面積が大きくなる。従って固定用ゴム栓２ａの三つ又形状が、最も効率の高い排水を確保し、且つ固定用ゴム栓２ａと植木鉢３の固定状態を得られる最適な形状といえる。
【００２９】
図６のように固定用ゴム栓２ａの径を植木鉢の底孔に合わせて製作すれば、一般的な素焼鉢をはじめ、その他の植木鉢全般にも汎用が可能である。
【００３０】
図７と図８は、固定用ゴム栓２ａとは異なる固定用ゴム栓の形状である。図７は四つ又形状で、図８は複数の孔を設けた形状。いずれも、図３の三つ又形状に比べ、鉢外部との開口部の面積が少なく、排水の効率は落ちるが、植木鉢の支持は可能である。
【００３１】
固定用ゴム栓の製造コストは、量産用の金型代を考慮すると相当数の量産をしないと単価が高価になってしまうが、ウォータージェット切断加工機などの活用によって、少ロットでも最小限のコストで、テーパー形状のゴム栓形状を板材から切り出すことが可能である。
【符号の説明】
【００３２】
１  金属製の吊下げ棒
１ａ  吊下げ用リング部
２ａ  三つ又形状の固定用ゴム栓
３  オリジナルデザインの植木鉢
２ｂ  四つ又形状の固定用ゴム栓
２Ｃ  複数の排水穴の空いた固定用ゴム栓
【図１】
2017093317.tif 000003
【図２】
2017093317.tif 000004
【図３】
2017093317.tif 000005
【図４】
2017093317.tif 000006
【図５】
2017093317.tif 000007
【図６】
2017093317.tif 000008
【図７】
2017093317.tif 000009
【図８】
2017093317.tif 000010